(57)【要約】【課題】照明空間のレイアウトを自由に変更することのできる照明装置を提供する。【解決手段】一対の天井バーＡ間に取り付けられる一面を開口した箱形の器具本体１と、器具本体１内部に収納されて器具本体１の開口を介して光を照射する複数の発光ダイオード２０を有する一乃至複数の光源ユニット２とを備え、器具本体１の内部は、自身の外壁及び内壁、並びに仕切り板１１によって１つの光源ユニット２が収納される空間を１区画として複数の区画に隔てられ、光源ユニット２には、器具本体１に着脱自在に取り付けるための取付手段である一対のねじ挿通孔が設けられ、器具本体１の各区画の内壁には、光源ユニット２のねじ挿通孔と対応する第１の取付孔１４ｃが貫設された被取付手段である取付台１４を設けた。【選択図】図１
2010118186.tif 000002
【特許請求の範囲】
【請求項１】
天井下地から吊下された複数本の天井バー間に天井パネルを設けて形成されるシステム天井に設置される照明装置であって、一対の天井バー間に取り付けられる一面を開口した箱形の器具本体と、器具本体内部に収納されて器具本体の開口を介して光を照射する複数の発光ダイオードを有する一乃至複数の光源ユニットとを備え、器具本体の内部には、１つの光源ユニットが収納される空間を１区画として複数の区画に隔てる複数の仕切り板が設けられ、光源ユニットには、器具本体に着脱自在に取り付けるための取付手段が設けられ、器具本体及び仕切り板の各区画の内壁には、光源ユニットの取付手段と対応する被取付手段が設けられたことを特徴とする照明装置。
【請求項２】
前記器具本体は、複数の光源ユニットに点灯電力を供給する点灯装置を備えたことを特徴とする請求項１記載の照明装置。
【請求項３】
前記光源ユニットは、各発光ダイオードからの光の配光をそれぞれ制御する複数のルーバを備えたルーバ枠を有し、ルーバ枠の外側縁部は、天井と垂直な方向において天井に向かう向きに折曲して成ることを特徴とする請求項１又は２記載の照明装置。
【発明の詳細な説明】
【技術分野】
【０００１】
本発明は、システム天井用の照明装置に関する。
【背景技術】
【０００２】
従来から、天井下地から吊下された複数本の天井バー間に天井パネルを設けて形成されるシステム天井に設置される照明装置が提供されており、例えば特許文献１に開示されているようなものがある。この従来の照明装置では、四方を略逆Ｔ字状の所謂Ｔバーである天井バーで囲まれた基準モジュール内に配設される直管形の蛍光灯を光源とする第１の照明器具と、第１の照明器具の周辺に複数配設され、基準モジュール内に配設される天井パネルに一体的に取り付けられる電球形のランプを光源とする第２の照明器具とを具備している。第１の照明器具は、器具本体の周縁部が天井バーに載置される構成であり、第２の照明器具は、天井パネルに一体的に取り付けられる構成であるため、何れの照明器具も設置及び移動が容易であるために照明空間のレイアウトの変更を容易に行うことができる。
【特許文献１】特開２０００−３５３４０７号公報
【発明の開示】
【発明が解決しようとする課題】
【０００３】
しかしながら、上記従来例では、第１の照明器具の形状と第２の照明器具の形状とが異なるため、例えば第１の照明器具の配設位置と第２の照明器具の配設位置とを入れ替えようとしても入れ替えることができない。また、第１の照明器具の配設位置と第２の照明器具との配設位置の組合せも制限されるため、照明空間のレイアウトを自由に変更することができないという問題があった。
【０００４】
本発明は、上記の点に鑑みて為されたもので、照明空間のレイアウトを自由に変更することのできる照明装置を提供することを目的とする。
【課題を解決するための手段】
【０００５】
請求項１の発明は、上記目的を達成するために、天井下地から吊下された複数本の天井バー間に天井パネルを設けて形成されるシステム天井に設置される照明装置であって、一対の天井バー間に取り付けられる一面を開口した箱形の器具本体と、器具本体内部に収納されて器具本体の開口を介して光を照射する複数の発光ダイオードを有する一乃至複数の光源ユニットとを備え、器具本体の内部には、１つの光源ユニットが収納される空間を１区画として複数の区画に隔てる複数の仕切り板が設けられ、光源ユニットには、器具本体に着脱自在に取り付けるための取付手段が設けられ、器具本体及び仕切り板の各区画の内壁には、光源ユニットの取付手段と対応する被取付手段が設けられたことを特徴とする。
【０００６】
請求項２の発明は、請求項１の発明において、器具本体は、複数の光源ユニットに点灯電力を供給する点灯装置を備えたことを特徴とする。
【０００７】
請求項３の発明は、請求項１又は２の発明において、光源ユニットは、各発光ダイオードからの光の配光をそれぞれ制御する複数のルーバを備えたルーバ枠を有し、ルーバ枠の外側縁部は、天井と垂直な方向において天井に向かう向きに折曲して成ることを特徴とする。
【発明の効果】
【０００８】
請求項１の発明によれば、１つの器具本体の内部を複数の区画に分け、各区画に光源ユニットを着脱自在に取り付けることができるので、何れの区画に光源ユニットを取り付けるかを自由に決定することができ、従来例と比較して照明空間のレイアウトを自由に変更することができる。
【０００９】
請求項２の発明によれば、１台の点灯装置で複数の光源ユニットに点灯電力を供給することができるので、複数の点灯装置を設置する必要が無くスペースを有効に活用することができる。
【００１０】
請求項３の発明によれば、複数の光源ユニット及びルーバ枠を隣接して配設する場合に、互いに隣り合うルーバ枠の外側縁部間の距離を極力狭くすることができるので、互いに隣り合う発光ダイオード間の距離を均一にすることができ、意匠性を向上することができる。
【発明を実施するための最良の形態】
【００１１】
以下、本発明に係る照明装置の実施形態について図面を用いて説明する。尚、以下の説明では、図２（ｂ）における上下左右を上下左右方向、紙面手前側を前方向、紙面奥側を後方向と定めるものとする。本実施形態は、図１に示すように、天井下地から吊下された複数本の天井バーＡ間に天井パネル（図示せず）を設けて形成されるシステム天井に設置される照明装置であって、一対の天井バーＡ間に取り付けられる下面を開口した箱形の器具本体１と、器具本体１内部に収納されて器具本体１の開口を介して光を照射する複数（図示では９個）の発光ダイオード２０を有する複数（図示では６個）の光源ユニット２とを備える。尚、本実施形態の天井バーＡは、図３（ａ）に示すように断面略逆Ｔ字状の所謂Ｔバーである。
【００１２】
器具本体１は、図２（ａ）〜（ｃ）に示すように、下面を開口した左右方向に長尺な箱形の３つの収納ユニット１０を前後方向に沿って連結して成り、互いに連結される収納ユニット１０の外壁が仕切り板の機能を果たしている。また、収納ユニット１０の下端部には、それぞれ開口を左右方向において３分割するように長尺板状の仕切り板１１が設けられている。而して、器具本体１全体では、収納ユニット１０の外壁及び仕切り板１１によってその内部が光源ユニット２が収納される空間を１区画として９区画に隔てられている。尚、収納ユニット１０の各区画における上面には、商用電源（図示せず）から引き回されて後述する点灯装置５に接続される電源線（図示せず）を挿通させるための略円形状の挿通孔１０ａが貫設されている。
【００１３】
器具本体１の左右外壁の下端部には、それぞれ断面略Ｌ字状の取付片１２が前後方向に亘って一体に形成されている。この左右の取付片１２をそれぞれ一対の天井バーＡの下端部において左右両側に突設されたフランジＡ１に載置することで、器具本体１が天井バーＡ間に取り付けられるようになっている（図３（ａ）参照）。また、器具本体１上側の左右両端部には、図３（ａ）に示すように、それぞれ下端部が断面略鈎形に形成された取付金具１３が取り付けられるようになっている。而して、取付片１２を天井バーＡのフランジＡ１に載置した後に、取付金具１３の鈎形部分を天井バーＡの上端部において前後方向に沿って設けられた中空で断面略矩形状の凸リブＡ２に引掛係止することで、器具本体１を一対の天井バーＡ間に確実に取り付けることができる。
【００１４】
各収納ユニット１０の前壁及び後壁の内面（即ち、器具本体１及び仕切り板の内壁）には、それぞれ光源ユニット２を取り付けるための被取付手段である取付台１４と、後述するルーバ枠４のばね部材４１が係合するばね引掛部１５とが設けられている。取付台１４は、図２（ａ），（ｂ）に示すように、左右方向に長尺であって収納ユニット１０の内壁に取り付けられる主片１４ａと、主片１４ａの左右両端部からそれぞれ収納ユニット１０の内側へと延設された一対の側片１４ｂとから成る。側片１４ｂには、それぞれ光源ユニット２をねじ止めするための略円形状の第１の取付孔１４ｃと、後述する反射板３をねじ止めするための略円形状の第２の取付孔１４ｄとが貫設されている。ばね引掛部１５は、左右方向に長尺な金属製の板材の左右両端部を互いに対向するように略Ｕ字状に折曲して成り、折曲部位１５ａにばね部材４１が係合するようになっている。
【００１５】
光源ユニット２は、図３（ａ）に示すように、発光ダイオード２０と、発光ダイオード２０がその下部を下方に露出する形で実装されるとともに発光ダイオード２０のアノード及びカソードに接続される複数の導電パターン（図示せず）が一面に形成された基板２１と、導電パターンを介して発光ダイオード２０のアノード及びカソードにそれぞれ電気的に接続される一対のリード線（図示せず）とを１組とした計９組を熱伝導性の高い金属材料から成る略矩形状の熱伝導板２２に取り付けて構成される。尚、基板２１と熱伝導板２２との間には、それぞれ一対の略円筒状のスペーサ２３が設けられており、基板２１に貫設された一対のねじ孔（図示せず）に取付ねじＳを挿通し、スペーサ２３の内周面及び熱伝導板２２に設けられた雌ねじ部（図示せず）に螺合することで基板２１が熱伝導板２２に取り付けられるようになっている。
【００１６】
発光ダイオード２０は、図３（ａ）に示すように、例えばアルミニウム等の熱伝導性の高い金属材料から成るベース２０ａの下面に絶縁層を介して発光ダイオードチップ（図示せず）が実装され、当該発光ダイオードチップを透光性の樹脂材料から成るドーム形のキャップ２０ｂで覆い、キャップ２０ｂを形成する樹脂材料に混合された蛍光材料によって発光ダイオードチップから放射される光の一部を波長変換することで白色光を放射するものである。尚、この種の発光ダイオード２０の構造は周知であるので、ここでは詳細な説明及び図示を省略するものとする。
【００１７】
また、熱伝導板２２の前後両端部には、それぞれ取付台１４の第１の取付孔１４ｃと対応する位置に内周面に雌ねじ部が形成された取付手段であるねじ挿通孔（図示せず）が設けられている。而して、熱伝導板２２のねじ挿通孔と取付台１４の第１の取付孔１４ｃとを合わせ、組立ねじ（図示せず）を第１の取付孔１４ｃに挿通してねじ挿通孔に螺合することで、光源ユニット２を器具本体１の前記何れかの区画に取り付けることができる。
【００１８】
ところで、本実施形態の光源ユニット２では９つの発光ダイオード２０が直列接続されており、その両端のアノード及びカソードに各々接続された一対のリード線が点灯装置５に設けられた端子台５０に接続される。ここで、点灯装置５は、図４に示すように収納ユニット１０内部の上面に取り付けられており、電源線を介して商用電源と接続されている。而して、商用電源からの交流電力を点灯装置５において各発光ダイオード２０を点灯させるために必要な直流電力に変換し、当該直流電力を端子台５０及びリード線を介して各発光ダイオード２０に供給することで各発光ダイオード２０が点灯する。尚、本実施形態の点灯装置５には、図４に示すように端子台５０が３つ設けられている。このため、１台の点灯装置５で３つの光源ユニット２に各発光ダイオード２０の点灯電力を供給することができるので、複数の点灯装置を設置する必要が無く器具本体１内部のスペースを有効に活用することができる。勿論、端子台５０の数が３つに限定される必要は無く、点灯装置５の電源容量に応じて増減してもよいことは言うまでもない。
【００１９】
光源ユニット２の下方には、図３（ａ）に示すように光源ユニット２の下面を覆う略矩形状の鋼板から成る反射板３が設けられている。反射板３の各発光ダイオード２０と対向する位置には、上方から下方にかけて拡開した略円錐台形状の窪みが設けられている。また、各窪みの上底面には、発光ダイオード２０を下方に臨ませるための丸孔（図示せず）が貫設されている。而して、発光ダイオード２０から放射される光が反射板３の窪みで反射して下方へ配光制御される。尚、反射板３の左右両側の上端部には、それぞれ左右外側に延設された延設片３０が一体に形成されており、各延設片３０には取付台１４の第２の取付孔１４ｄと略同一寸法のねじ挿通孔（図示せず）が貫設されている。このため、各ねじ挿通孔を第２の取付孔１４ｄと合わせ、組立ねじを挿通して螺合することで反射板３が器具本体１に取り付けられる。
【００２０】
光源ユニット２は、図３（ａ）に示すように、各発光ダイオード２０からの光の配光をそれぞれ制御する複数（本実施形態では９つ）のルーバ４０を備えたルーバ枠４を有する。ルーバ４０は、上方から下方にかけて拡開した略円錐台形状であって、上面に開口した丸孔（図示せず）を介して発光ダイオード２０からの光を下方に照射させ、その配光を制御する。ルーバ枠４は、各発光ダイオード２０に対応して設けられた９つのルーバ４０を一体に形成したものであって、上側の左右両端部には拡散性を有する略矩形状の透光パネル６を挟持する断面略コ字状のパネル取付片４２が一体に形成されている。また、ルーバ枠４の前後両端部には、それぞれ後述するばね部材４１の軸部４１ｂが挿通される一対の軸受け４ａが一体に形成されている。
【００２１】
尚、ルーバ枠４の左右両端部は、図３（ａ）に示すように前後方向に亘って上方へと折曲されている。このため、複数の光源ユニット２及びルーバ枠４を隣接して配設する場合に、互いに隣り合うルーバ枠４の外側縁部間の距離を極力狭くすることができるので、互いに隣り合う発光ダイオード２０間の距離を均一にすることができ、意匠性を向上することができる。
【００２２】
ばね部材４１は、細長い金属線を螺旋状に巻き回したコイル部４１ａを有する捩りコイルばねから成り、両端部をそれぞれ略直角に折曲して成る軸部４１ｂと、各軸部４１ｂからコイル部４１ａにかけて外側に湾曲する湾曲部４１ｃとを有する。ばね部材４１は、軸部４１ｂがそれぞれルーバ枠４の前後両端部に設けられた一対の軸受け４ａ、及び後述する化粧板７の一対の軸受け７１に挿通されることでルーバ枠４及び化粧板７に取り付けられる。
【００２３】
化粧板７は、少なくとも下面が白色塗装された鋼板から中空箱形に形成され、その左右両端部にはそれぞれ上方に突出する略矩形状の立片７０が設けられている。また、立片７０の略中央部には、それぞればね部材４１の軸部４１ｂが挿通される軸受け７１が設けられている。
【００２４】
ルーバ枠４又は化粧板７を器具本体１に取り付ける場合には、先ず、ばね部材４１をコイル部４１ａを上方に向けた状態で器具本体１のばね引掛部１５の折曲部位１５ａに押し付ける。すると、湾曲部４１ｃが折曲部位１５ａに摺動して内側に撓んだ状態でばね引掛部１５の上方に挿通される。そして、挿通された湾曲部４１ｃが復帰して、その頂部がばね引掛部１５の折曲部位１５ａよりも外側に突出することで折曲部位１５ａに係合し、ルーバ枠４又は化粧板７が器具本体１に取り付けられる（図３（ａ）参照）。
【００２５】
上述のように、１つの器具本体１の内部を９つの区画に分け、各区画に光源ユニット２及び化粧板７を着脱自在に取り付けることができるので、何れの区画に光源ユニット２及び化粧板７を取り付けるかを自由に決定することができ、従来例と比較して照明空間のレイアウトを自由に変更することができる。例えば、図５（ａ）に示すように、左右両側の区画にそれぞれ前後方向に沿って３つずつ光源ユニット２及びルーバ枠４を取り付け、その他の区画に化粧板７を取り付けるレイアウトが考えられる。また、図５（ｂ）に示すように、四隅の区画に光源ユニット２及びルーバ枠４を取り付け、その他の区画に化粧板７を取り付けるレイアウトが考えられる。また、図５（ｃ）に示すように、四隅の区画に化粧板７を取り付け、その他の区画に光源ユニット２及びルーバ枠４を取り付けるレイアウトも考えられる。
【００２６】
尚、本実施形態では図１に示すように、四隅の区画に配設された光源ユニット２は反射板３及びルーバ４０の丸孔を介して発光ダイオード２０から下方へ光を照射する構成であり、残りの２区画に配設された光源ユニット２は略矩形状の集光レンズ２４を発光ダイオード２０の下側に設けた構成となっている。このため、四隅の区画では光が区画全体に広がるような照明を演出することができ、残りの２区画では発光ダイオード２０の周部が強調された照明を演出することができる。また、本実施形態では１つの器具本体１の内部を９つの区画に分けているが、区画数がこれに限定される必要が無いのは言うまでもない。
【図面の簡単な説明】
【００２７】
【図１】本発明に係る照明装置の実施形態を示す平面図である。
【図２】（ａ）〜（ｃ）は、同上の器具本体を示す概略図である。
【図３】（ａ），（ｂ）は、同上の光源ユニット及びルーバ枠及び化粧板を取り付けた状態を示す概略図である。
【図４】同上の点灯装置を配設した状態を示す平面図である。
【図５】（ａ）〜（ｃ）は同上の光源ユニットの配設例を示す平面図である。
【符号の説明】
【００２８】
１  器具本体
１０  収納ユニット
１１  仕切り板
１４  取付台（被取付手段）
２  光源ユニット
２０  発光ダイオード
【図１】
2010118186.tif 000003
【図２】
2010118186.tif 000004
【図３】
2010118186.tif 000005
【図４】
2010118186.tif 000006
【図５】
2010118186.tif 000007